(57)【要約】【課題】（１）副フレームが本体フレームに対して簡単に、かつ確実に着脱でき、（２）副フレームを本体フレームに対して回動させた際、副フレームが利用者の意図する任意の角度に適正に、かつ確実に維持することができ、（３）副フレームと本体フレームとの取り付け構造をできるだけ美観を有するものにし、（４）これらの特徴をできるだけ簡単に経済的に行うことのできる「跳ね上げ式眼鏡」の眼鏡枠と該眼鏡枠で組み立てた眼鏡を提供することである。【解決手段】（１）テンプル、テンプルとリムをつなぐヨロイ部、左右のリム、左右のリムをつなぐ枢軸状ブリッジから構成される本体フレームと、（２）左右一対のレンズ、前記レンズを保持するリム、左右のレンズをつなぐ保持部材、および前記保持部材に固定される前記本体フレームの枢軸状ブリッジを枢軸として回動する弾性嵌合部材から構成される副フレームと、から構成されたことを特徴とする眼鏡枠である。【選択図】  図８
2004279502.tif 000002
【特許請求の範囲】
【請求項１】
（１）テンプル、テンプルとリムをつなぐヨロイ部、左右のリム、左右のリムをつなぐ枢軸状ブリッジから構成される本体フレームと、
（２）左右一対のレンズ、前記レンズを保持するリム、左右のレンズをつなぐ保持部材、および前記保持部材に固定される前記本体フレームの枢軸状ブリッジを枢軸として回動する弾性嵌合部材から構成される副フレームと、
から構成されたことを特徴とする眼鏡枠。
【請求項２】
前記本体フレームの枢軸状ブリッジが正２ｎ角形（ｎ＝３以上の整数）の断面形状、前記嵌合部材の前記枢軸状ブリッジの外周に接する面が正ｎ角形（ｎ＝３以上の整数）の断面形状を有することを特徴とする請求項１記載の眼鏡枠。
【請求項３】
前記本体フレームの枢軸状ブリッジが正２ｎ角形（ｎ＝３以上の整数）の断面形状、前記嵌合部材の前記枢軸状ブリッジの外周に接する面が正ｎ角形（ｎ＝３以上の整数）の角を丸めた断面形状を有することを特徴とする請求項１記載の眼鏡枠。
【請求項４】
（１）テンプル、テンプルとリムをつなぐヨロイ部、左右のリム、左右のリムをつなぐ保持部材、および前記保持部材に固定される副フレームの枢軸状ブリッジを枢軸として回動する弾性嵌合部材から構成される本体フレームと、
（２）左右一対のレンズ、前記レンズを保持するリム、左右のレンズをつなぐ前記枢軸状ブリッジから構成される副フレームと、
から構成されたことを特徴とする眼鏡枠。
【請求項５】
前記副フレームの枢軸状ブリッジが正２ｎ角形（ｎ＝３以上の整数）の断面形状、前記嵌合部材の前記枢軸状ブリッジの外周に接する面が正ｎ角形（ｎ＝３以上の整数）の断面形状を有することを特徴とする請求項４記載の眼鏡枠。
【請求項６】
前記副フレームの枢軸状ブリッジが正２ｎ角形（ｎ＝３以上の整数）の断面形状、前記嵌合部材の前記枢軸状ブリッジの外周に接する面が正ｎ角形（ｎ＝３以上の整数）の角を丸めた断面形状を有することを特徴とする請求項４記載の眼鏡枠。
【発明の詳細な説明】
【０００１】
【発明が属する技術分野】
本発明は、遮光機能、あるいはレンズ機能を有する光学レンズを保持する副フレームが本体フレームに対して回動可能に接続された、跳ね上げ式眼鏡の眼鏡枠に関するものである。
【０００２】
【従来の技術】
眼鏡は多くの部品から構成されている。眼鏡の種類によっても異なるが、一般に眼鏡の主要部品として、２枚のレンズ、レンズを固定するためのリム、左右のレンズを連結するブリッジ、眼鏡を安定させる目的と眼鏡の縁（フロント枠）が鼻に当たるときの当たりを和らげるパッド、パッドとフロント枠を連結するパッド足、眼鏡を顔に安定させるためのテンプル、テンプルとフロント枠をつなげるチ（智）、テンプルエンド部（耳に掛ける部分）が耳に当たるときの衝撃を和らげるモダン、テンプルのヒンジ機構を構成する丁番などがある。それぞれの部品を連結するために、ネジ留め、ロー付け、接着剤留め、嵌合、かしめ、錨留めなど、眼鏡の部位や種類によってさまざまな方法が採られている。
【０００３】
これに対し、上記２枚のレンズ（以下、主レンズという。）に対して、さらに主レンズへの入光量を制限したり主レンズの度数を増減する等の目的で２枚のレンズ（以下、副レンズという。）を追加し、この副レンズを主レンズの前方位置に保持する副フレームを上記主レンズを保持する本体フレームに取り付けたタイプの眼鏡もある。
【０００４】
このタイプの眼鏡は、副フレームを本体フレームに対して相対移動させることによって、副レンズを主レンズに対して選択的に上下方向に旋回移動できるように構成されており、副レンズが上方に跳ね上げられることから「跳ね上げ式眼鏡」と呼ばれている。
【０００５】
従来においても種々の跳ね上げ式眼鏡が発明されている。
例えば、『跳ね上げ式眼鏡フレーム』（特許文献１）では、回動するフロントフレームの回動角度を良好に維持でき、かつ耐久性に優れた機構を備え、しかも、前記従来の跳ね上げ式のように一対のフロントフレームが前後に重ならないようにすることができるようにした跳ね上げ式眼鏡フレームを提供するために、テンプルに支持されたサブ・フロントフレームと、眼鏡用レンズが装着され、かつ前記サブ・フロントフレームにブリッジ部分において跳ね上げ機構により回動可能に設けられたメイン・フロントフレームとを備えた跳ね上げ式眼鏡フレームが開示されている。この特許文献１では、跳ね上げ機構が、サブ・フロントフレームのブリッジ部分に設けられている。すなわちブリッジ部分は、底面部が一部開放されたブリッジ筐体と、このブリッジ筐体の右部（眼鏡装着者の顔側）の凹所に嵌挿されて、両端がそれぞれメイン・フロントフレームの各リムの内側に固定され、全体として弓状に湾曲しかつ断面が略楕円になっている回転軸と、ブリッジ筐体の左部（眼鏡フレームの前面側）にねじによって一端が固定され、かつ他端が回転軸に弾接してブリッジ筐体内側に押圧している板ばねとから構成されている。この発明により、眼鏡装着者がサブ・フロントフレームに対してメイン・フロントフレームを回動させると、メイン・フロントフレームにおける回転軸体の断面非円形部分が板ばねにて、ブリッジ筐体内部に弾接することによって好みの回動角度を保持，維持できることになる。
【０００６】
『ダブルフレーム眼鏡』（特許文献２）では、左右一対の眼鏡レンズとテンプルとを保持するベースフレームと、該ベースフレームに止着部材を介して着脱自在に装着されるサングラス等のフロントフレームとを備えてなるダブルフレーム眼鏡において、前記止着部材は、前記ベースフレームに設けられた雌若しくは雄状の第１突起部と、該第１突起部に連結されるべく前記フロントフレームに設けられた雄若しくは雌状の第２突起部とを備えてなるダブルフレーム眼鏡が開示されている。さらに、前記第１突起部は、第２突起部を着脱かつ回動自在に連結するための連結孔又は跳上溝を有しており、前記第２突起部は、第１突起部の連結孔に回動自在に嵌合される球状突起と、跳上溝に整合される取付アームとを有している。このため、マグネットや蝶番を使用することなくフロントフレームをより簡単かつ確実に着脱できる他、必要に応じて同フロントフレームを無段階に跳ね上げることができる有用なダブルフレーム眼鏡を提供することができている。
【０００７】
『蝶番及び跳ね上げ式メガネフレーム』（特許文献３）では、表・裏フロントフレームのリム上部に蝶番をロウ付けして互いに連結し、この蝶番は両蝶片に形成した概略半円形の側片と凸部を噛み合わせて軸ネジにて連結したもので、軸ネジは蝶片から突出しない位置に設けるとともに、蝶片には切り欠きを形成し、この切り欠きにリムを嵌入してロウ付けしたメガネフレームが開示されている。この発明により眼鏡のフロントに表フロントフレームを取付けて跳ね上げることが出来るようにしたメガネフレームであって、跳ね上げた表フロントフレームが安定するとともに、表フロントフレームを連結する蝶番が上部に大きく突出しないようにした跳ね上げ式メガネフレームを提供できる。
【０００８】
【特許文献１】
特開２００３−１５０８９号公報
【特許文献２】
特開２００２−２１４５７２号公報
【特許文献３】
特開平１０−１１５８１１号公報
【０００９】
【発明が解決しようとする課題】
眼鏡の使用目的は視力の矯正が本来的なものであるが、伊達眼鏡といわれるようにお洒落のために眼鏡をかけたり、サングラスのように太陽光線から目を守るためにかけたりなど、眼鏡の使用目的はたくさんある。そのため眼鏡を常時かける必要の無い人も大勢いる。
例えば老眼鏡もそのうちの一つである。
【００１０】
老眼は年齢とともに進む。近視と違って老眼は、通常眼鏡を必要としない（近視でも老眼になるが、ここでは遠視について述べている）。最近は遠近両用の眼鏡もあるが、通常、常時眼鏡を掛けることには抵抗があるものである。老眼になりたてのころは、小さい文字や細かな部分を見るときだけ、眼鏡を使わずにルーペを使う人も多い。しかし遠視の度数が進むに連れて、ルーペでは不便になり、眼鏡を使わざるを得なくなる。ただ近視の人と違って、度数のあまり進んでいない遠視の人は、文字や細かな個所を見るときだけ眼鏡が必要なため、必要な時だけ眼鏡をかけ、必要のない時には眼鏡をはずし懐にしまって持ち歩く。
【００１１】
老眼鏡は常時掛けているものでないから、利用するたび毎にかけたりはずしたりしなくてはならず大変不便である。また眼鏡をはずしたときにどこに置いたのかを忘れ探し回らなくてはならないことも多々ある。
【００１２】
このように、眼鏡を常時かける必要のない人にとって、従来技術で述べた「跳ね上げ式眼鏡」は、いちいち眼鏡を取り外すことなく副フレームを本体フレームに対して回動させるだけで視力調整をすることや、眼鏡に遮光機能を持たせること、また気分に応じてイメージチェンジをすることが出来るため、とても便利なものである。
【００１３】
このような「跳ね上げ式眼鏡」においては、
（１）副フレームが本体フレームに対して簡単に、かつ確実に着脱しうるようにすること、
（２）副フレームを本体フレームに対して回動させた際、副フレームが利用者の意図する任意の角度に適正に、かつ確実に維持されること、
（３）副フレームと本体フレームとの取り付け構造をできるだけ美観を有するものにすること、
（４）これらの特徴をできるだけ簡単に経済的に行えること、
などが要求される。
【００１４】
これに対して、従来の技術で取り上げた「跳ね上げ式眼鏡」では、副フレームを本体フレームに対して着脱しうる構造とするため、ネジにより両フレームを接続したり、リム上部に蝶番をロー付けして両フレームを連結したりしている。しかし、これら従来技術で開示されている「跳ね上げ式眼鏡」の構造は、ロー付け作業やネジの取り付け作業に手間がかかることや、部材数が多い等の問題点がある。特にネジによる丁番構造では、繰り返しの回動によりネジがゆるむ等、耐久性にも問題がある。
【００１５】
そのため本発明が解決しようとする課題は、（１）副フレームが本体フレームに対して簡単に、かつ確実に着脱でき、（２）副フレームを本体フレームに対して回動させた際、副フレームが利用者の意図する任意の角度に適正に、かつ確実に維持することができ、（３）副フレームと本体フレームとの取り付け構造をできるだけ美観を有するものにし、（４）これらの特徴をできるだけ簡単に経済的に行うことのできる「跳ね上げ式眼鏡」の眼鏡枠と該眼鏡枠で組み立てた眼鏡を提供することである。
【００１６】
【課題を解決するための手段】
上記の課題を解決するために、請求項１に記載された発明は、（１）テンプル、テンプルとリムをつなぐヨロイ部、左右のリム、左右のリムをつなぐ枢軸状ブリッジから構成される本体フレームと、（２）左右一対のレンズ、前記レンズを保持するリム、左右のレンズをつなぐ保持部材、および前記保持部材に固定される前記本体フレームの枢軸状ブリッジを枢軸として回動する弾性嵌合部材から構成される副フレームと、から構成されたことを特徴とする眼鏡枠であるとする。
【００１７】
請求項２に記載された発明は、前記本体フレームの枢軸状ブリッジが正２ｎ角形（ｎ＝３以上の整数）の断面形状、前記嵌合部材の前記枢軸状ブリッジの外周に接する面が正ｎ角形（ｎ＝３以上の整数）の断面形状を有することを特徴とする請求項１記載の眼鏡枠であるとする。
【００１８】
請求項３に記載された発明は、前記本体フレームの枢軸状ブリッジが正２ｎ角形（ｎ＝３以上の整数）の断面形状、前記嵌合部材の前記枢軸状ブリッジの外周に接する面が正ｎ角形（ｎ＝３以上の整数）の角を丸めた断面形状を有することを特徴とする請求項１記載の眼鏡枠であるとする。
【００１９】
請求項４に記載された発明は、（１）テンプル、テンプルとリムをつなぐヨロイ部、左右のリム、左右のリムをつなぐ保持部材、および前記保持部材に固定される副フレームの枢軸状ブリッジを枢軸として回動する弾性嵌合部材から構成される本体フレームと、（２）左右一対のレンズ、前記レンズを保持するリム、左右のレンズをつなぐ前記枢軸状ブリッジから構成される副フレームと、から構成されたことを特徴とする眼鏡枠であるとする。
【００２０】
請求項５に記載された発明は、前記副フレームの枢軸状ブリッジが正２ｎ角形（ｎ＝３以上の整数）の断面形状、前記嵌合部材の前記枢軸状ブリッジの外周に接する面が正ｎ角形（ｎ＝３以上の整数）の断面形状を有することを特徴とする請求項４記載の眼鏡枠であるとする。
【００２１】
請求項６に記載された発明は、前記副フレームの枢軸状ブリッジが正２ｎ角形（ｎ＝３以上の整数）の断面形状、前記嵌合部材の前記枢軸状ブリッジの外周に接する面が正ｎ角形（ｎ＝３以上の整数）の角を丸めた断面形状を有することを特徴とする請求項４記載の眼鏡枠であるとする。
【００２２】
本発明では、「跳ね上げ式眼鏡」において、副フレームが本体フレームに対して簡単に、かつ確実に着脱できるようにするため、副フレームと本体フレームの接続に嵌合部材を用いる。該嵌合部材は、副フレームの保持部材に設けられた嵌合孔と一致する位置に突起が設けられている。また、該嵌合部材には、本体フレームに備えられている正２ｎ角形（ｎ＝３以上の整数）の断面形状を有する枢軸状ブリッジを嵌合するための正ｎ角形（ｎ＝３以上の整数）の断面形状を有する保持部を有する。そのため、該嵌合部材の突起を副フレームの嵌合孔に嵌合し、該嵌合部材の保持部に本体フレームの枢軸状ブリッジを嵌合させるだけで副フレームを本体フレームに接続することが出来る。本発明の構造とすることで、部品点数も少なく、本体フレームに副フレームを接続する際にネジ留め、ロー付け、接着剤、磁石等の使用が不要なため、丈夫かつシンプルであるとともに低コストで作成できる「跳ね上げ式眼鏡」を提供することができる。
【００２３】
さらに、副フレームを本体フレームに対して回動させた際、副フレームが利用者の意図する任意の角度に適正に、かつ確実に維持することができるようにするために、本体フレームの枢軸状ブリッジは正２ｎ角形の断面形状を有するとともに、該本体フレームの枢軸状ブリッジを保持する、嵌合部材の保持部の断面形状は正ｎ角形であるとする。
【００２４】
【発明の実施の形態】
本発明の実施の形態を図を用いて説明する。図１は、本発明の眼鏡枠の本体フレーム１を表す正面図及び平面図である。図に示すように本体フレーム１は、テンプル１０１、テンプルとリムをつなぐヨロイ部１０２、左右のリム１０３、左右のリムをつなぐ枢軸状ブリッジ１０４及びパッド１０５、モダン１０６から構成されている。
【００２５】
ヨロイ部１０２のテンプル側と、テンプル１０１のヨロイ部側にはそれぞれ丁番が取り付けられる。すなわちヨロイ部１０２の丁番１１０には、上下に所定の間隔をおいて位置する環状のネジ孔が設けられる。そしてテンプル１０１の丁番１１１には、ヨロイ部の丁番１１０と嵌合するネジ孔が設けられる。そのため、ヨロイ部１０２とテンプル１０１の丁番を嵌合させ、ネジで連結することで、開閉機能を有する丁番として働く。テンプルの丁番、ヨロイ部の丁番をともに「丁番」と表記したが、通常コマになっていて、ネジで連結する形状になっている。
【００２６】
左右のリムをつなぐ枢軸状ブリッジ１０４の断面形状は正２ｎ角形となっている。
【００２７】
パッド１０５はリム１０３に取り付けられる。パッド１０５は、パッド脚の一端をリム１０３にロー付けして取り付ける。
【００２８】
モダン１０６は直接テンプルエンドが耳に当たると痛いために、テンプルにプラスティック製のモダン１０６を取り付けて、耳にテンプルエンドが当たる刺激を和らげている。
【００２９】
図２は本発明の眼鏡枠の副フレーム２を表す正面図及び平面図である。図に示すように、副フレーム２は、左右一対のレンズ２０１、前記レンズを保持するリム２０２、左右のレンズをつなぐ保持部材２０３から構成される。
【００３０】
図では副フレーム２はハーフリム眼鏡の形状となっているために、リム２０２とレンズ２０１は両者の保持を目的とした糸（たとえば、ナイロール）で固定されている。この糸は、レンズ２０１に掘られた溝にはめ込んで、レンズをハーフリムと糸で保持する。またレンズ２０１がリム２０２からずれるのを防止するために、リムの一部がレンズの溝に食い込む形となっている。図では、副フレームはハーフリム眼鏡となっているが、フルリム眼鏡でも、リムレス眼鏡でも良い。
【００３１】
上記の方法でリム２０２に保持された左右のレンズをつなぐために、保持部材２０３を用いる。保持部材２０３はロー付けによって左右のリム２０２に接続される。そして保持部材２０３の中央部には嵌合孔２０４が設けられている。
【００３２】
図３は本発明の本体フレームと副フレームを、回動可能に接続するための嵌合部材３を表す側面図及び斜視図である。図に示すように、該嵌合部材３は、副フレーム２の保持部材２０３に設けられた嵌合孔２０４と一致する位置に突起３０１が設けられている。また、該嵌合部材３には、本体フレーム１に備えられている正２ｎ角形の断面形状を有する枢軸状ブリッジ１０４を嵌合するための正ｎ角形の断面形状を有する保持部３０２を有する。
【００３３】
保持部３０２の嵌入口３０３の開きは、枢軸状ブリッジ１０４よりも若干小さくしておく。図４は、保持部３０２と枢軸状ブリッジ１０４を示す断面図である。保持部３０２の嵌入口３０３の開きは、枢軸状ブリッジ１０４よりも若干小さく作られており、枢軸状ブリッジ１０４を保持部３０２に嵌入するときは押し込むようにする（（ａ）参照）。保持部の素材の弾力で嵌入口３０３が広がるために、枢軸状ブリッジ１０４は容易に嵌入できる（（ｂ）参照）。この構造により枢軸状ブリッジ１０４は保持部３０２に嵌入した形になるために、ガタツキは解消される。
【００３４】
また図５に示すように、嵌合部材３の枢軸状ブリッジ１０４の外周に接する保持部３０２の断面形状を正ｎ角形（ｎ＝３以上の整数）の角を丸めた形状とすることで、より安定した形で枢軸状ブリッジ１０４を保持部３０２に嵌入することもできる。
【００３５】
嵌合部材３には、本体フレーム１に備えられている正２ｎ角形の断面形状を有する枢軸状ブリッジ１０４を嵌合するための正ｎ角形の断面形状を有する保持部３０２を有する。そのため、本発明の眼鏡枠の利用者は、本体フレームに対して副フレームを（３６０÷２ｎ）度の間隔幅で跳ね上げることができる。例えば、正８角形の枢軸状ブリッジを正４角形の保持部に嵌合させる場合、図６に示すように利用者は４５度ずつの間隔で本体フレームに対して副フレームを跳ね上げることができる。図７は、正６角形の枢軸状ブリッジを正３角形の保持部に嵌合させる場合を表した図である。この場合、利用者は６０度ずつの間隔で本体フレームに対して副フレームを跳ね上げることができる。
【００３６】
本発明の様に、枢軸状ブリッジ１０４と保持部３０２の断面形状を相違させることで、保持部と枢軸状ブリッジ間に間隙３０４が生じるため、枢軸状ブリッジと保持部の断面形状が同一の場合に比べて、本体フレームに対する副フレームの回転をスムーズにすることができる。また、枢軸状ブリッジの断面を正２ｎ角形とすることで断面が円形の場合と比べて回転の角度を確実に確定し維持することができる。
【００３７】
本発明の眼鏡枠を利用するときには、図８に示すように該嵌合部材３の突起３０１を副フレーム２の嵌合孔２０４に嵌合し、該嵌合部材３の保持部３０２に本体フレーム１の枢軸状ブリッジ１０４を嵌合させるだけで副フレーム２を本体フレーム１に接続することが出来る。図９は、本発明の本体フレームと副フレームを嵌合部材を用いて接続した正面図と平面図であり、図１０は、本発明の本体フレームと副フレームを嵌合部材を用いて接続した側面図である。
【００３８】
この跳ね上げ式眼鏡は、副フレーム２を図１０の矢印ＡＢ方向に回動させることにより、副フレームが本体フレームの前方で選択的に上下方向に旋回移動するようになっている。  図１０の（ａ）に示した状態から、副フレーム２の保持部材２０３を把持して上方向すなわち矢印Ｂ方向に動かすと、嵌合部材３に嵌合された副フレーム２が、本体フレーム１の枢軸状ブリッジ１０４を回転軸として本体フレーム１の外側で回動を開始する。そして、枢軸状ブリッジ１０４の断面形状に基づいて（３６０÷２ｎ）度ずつ副フレームは回転する。利用者は好みの角度で副フレームを跳ね上げると、副フレーム２は回転を停止し、本体フレームに対して所定の角度を維持する。
【００３９】
さらに図１０の（ｂ）に示した状態から、副フレーム２の保持部材２０３を把持して矢印Ａ方向に動かすと、副フレーム２は本体フレームに対して下方向に回転する。
【００４０】
跳ね上げ式眼鏡において副フレーム２を本体フレーム１から取り外す場合には、嵌合部材３の突起３０１を副フレーム２の嵌合孔２０４から取り外し、嵌合部材３の保持部３０２から本体フレーム１の枢軸状ブリッジ１０４を取り外すだけで副フレーム２を本体フレーム１から取り外すことが出来る。
【００４１】
図９及び図１０を見ると分かるように本発明の眼鏡は見た目にシンプルでスマートな構造とすることができる。
【００４２】
上記発明の実施の形態では、（１）テンプル、テンプルとリムをつなぐヨロイ部、左右のリム、左右のリムをつなぐ枢軸状ブリッジから構成される本体フレームと、（２）左右一対のレンズ、前記レンズを保持するリム、左右のレンズをつなぐ保持部材、および前記保持部材に固定される前記本体フレームの枢軸状ブリッジを枢軸として回動する弾性嵌合部材から構成される副フレームと、から構成された眼鏡枠を例として説明したが、図１１に示すように、副フレームに枢軸状ブリッジを設けて、（１）テンプル、テンプルとリムをつなぐヨロイ部、左右のリム、左右のリムをつなぐ保持部材、および前記保持部材に固定される副フレームの枢軸状ブリッジを枢軸として回動する弾性嵌合部材から構成される本体フレームと、（２）左右一対のレンズ、前記レンズを保持するリム、左右のレンズをつなぐ前記枢軸状ブリッジから構成される副フレームと、から構成される眼鏡枠としても良い。この場合には、副フレームを本体フレームに対して回転させる際、嵌合部材は動かずに副フレームのみが回転するが、その他の構成は上記発明の実施の形態で説明した本体フレームに枢軸状ブリッジを設けた構成と同様である。
【００４３】
本発明の様な構造とすることで、部品点数も少なく、ネジ留め、ロー付け、接着剤等を使用することなく本体フレームと副フレームを接続することができるので、丈夫かつシンプルであるとともに低コストで作成できる「跳ね上げ式眼鏡」を提供することができる。
【００４４】
【発明の効果】
本発明の眼鏡枠により、
・副フレームが本体フレームに対して簡単に、かつ確実に着脱でき、
・副フレームを本体フレームに対して回動させた際、副フレームが利用者の意図する任意の角度に適正に、かつ確実に維持することができ、
・副フレームと本体フレームとの取り付け構造をできるだけ美観を有するものにし、
・これらの特徴をできるだけ簡単に経済的に行うことができ、
・本体フレームと副フレームの組立は、嵌合部材のはめ込みによる装着だけであるから、ネジ留め、ロー付け、かしめ、接着剤、磁石等による接合などいっさい不要であり、いたって簡単に眼鏡を組み立てることができ、
・眼鏡を取り外すことなく副フレームを本体フレームに対して回動させるだけで視力調整をすることや、眼鏡に遮光機能を持たせること、また気分に応じてイメージチェンジをすることができ、
・老眼鏡を利用する人など眼鏡を常時かける必要のない人にとって、眼鏡をいちいち取りはずす必要が無くなり、そのため眼鏡を無くす心配が無くなる、
・副フレームが本体フレームに対して簡単に着脱できるため、好みに応じて副フレームを交換することが出来る、
等の効果を備えた「跳ね上げ式眼鏡」の眼鏡枠と該眼鏡枠で組み立てた眼鏡を提供することができる。
【図面の簡単な説明】
【図１】本発明の眼鏡枠の本体フレームを表す正面図及び平面図である。
【図２】本発明の眼鏡枠の副フレームを表す正面図及び平面図である。
【図３】本発明の本体フレームと副フレームを、回動可能に接続するための嵌合部材を表す側面図及び斜視図である。
【図４】本発明の嵌合部材の保持部と本体フレームの枢軸状ブリッジの一例を示す断面図である。
【図５】本発明の嵌合部材の保持部と本体フレームの枢軸状ブリッジの一例を示す断面図である。
【図６】正８角形の本体フレームの枢軸状ブリッジを正４角形の嵌合部材の保持部に嵌合させた場合を示す断面図である。
【図７】正６角形の本体フレームの枢軸状ブリッジを正３角形の嵌合部材の保持部に嵌合させた場合を示す断面図である。
【図８】本発明の本体フレームと副フレームを嵌合部材を用いて接続する方法を示した図である。
【図９】本発明の本体フレームと副フレームを嵌合部材を用いて接続した正面図と平面図である。
【図１０】本発明の本体フレームと副フレームを嵌合部材を用いて接続した側面図である。
【図１１】本発明の本体フレームと副フレームを嵌合部材を用いて接続する他の方法を示した図である。
【符号の説明】
１        本体フレーム
１０１    テンプル
１０２    ヨロイ部
１０３    リム
１０４    枢軸状ブリッジ
１０５    パッド
１０６    モダン
１１０    丁番
１１１    丁番
２        副フレーム
２０１    レンズ
２０２    リム
２０３    保持部材
２０４    嵌合孔
３        嵌合部材
３０１    突起
３０２    保持部
３０３    嵌入口
３０４    間隙
【図１】
2004279502.tif 000003
【図２】
2004279502.tif 000004
【図３】
2004279502.tif 000005
【図４】
2004279502.tif 000006
【図５】
2004279502.tif 000007
【図６】
2004279502.tif 000008
【図７】
2004279502.tif 000009
【図８】
2004279502.tif 000010
【図９】
2004279502.tif 000011
【図１０】
2004279502.tif 000012
【図１１】
2004279502.tif 000013